【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
テラヘルツ周波数帯に固有振動周波数を有する物質が組み込まれた認証用可搬媒体に対してテラヘルツ波を照射し、スペクトルを測定して、測定結果である測定スペクトルを出力する測定部と、
前記物質の固有スペクトルが記録された固有スペクトルデータベースと、
前記測定スペクトルと前記固有スペクトルに基づいて、前記認証用可搬媒体に組み込まれている物質を判別し、判別結果を出力する判別部と、
認証用可搬媒体に組み込まれている物質の組合せが記録された認証データベースと、
前記判別結果によって前記認証用可搬媒体に組み込まれていると特定された物質の組合せが前記認証データベースに記録されている場合に、認証信号を出力する認証部と、
を含む認証システム。
【請求項２】
テラヘルツ周波数帯に固有振動周波数を有する物質が組み込まれた認証用可搬媒体。
【請求項３】
テラヘルツ周波数帯に固有振動周波数を有する物質が組み込まれた認証用可搬媒体に対してテラヘルツ波を二次元的に走査しながら照射し、スペクトルの二次元分布を測定して、測定結果である第１の測定スペクトル二次元分布を出力する測定部と、
前記物質の固有スペクトルが記録された固有スペクトルデータベースと、
前記第１の測定スペクトル二次元分布と前記固有スペクトルに基づいて、前記認証用可搬媒体に組み込まれている物質を判別し、判別結果を取得すると共に前記判別結果により特定した物質間の二次元位置関係の順列を判断し、判断結果を出力する判別部と、
認証用可搬媒体に組み込まれている物質の順列が記録された認証データベースと、
前記判断結果によって前記認証用可搬媒体に組み込まれていると特定された物質の順列が前記認証データベースに記録されている場合に、認証信号を出力する認証部と、
を含む認証システム。
【請求項４】
テラヘルツ周波数帯に固有振動周波数を有する物質が順列をもって組み込まれた認証用可搬媒体。
【請求項５】
前記認証信号に応じて動作する被制御装置をさらに含む請求項１又は請求項３に記載の認証システム。
【請求項６】
前記認証用可搬媒体の保持者に対してテラヘルツ波を二次元的に走査しながら照射し、スペクトルの二次元分布を測定して、測定結果である第２の測定スペクトル二次元分布を取得すると共に、前記第２の測定スペクトル二次元分布に基づいて前記保持者の携帯する物質の形状を示す二次元画像を作成するイメージング部と、
前記イメージング部によって作成された前記二次元画像と照合するための照合画像を格納する画像データベースと、
前記イメージング部によって作成された前記二次元画像を前記画像データベース内の前記照合画像と照合し、照合結果を出力する画像照合部と、をさらに含み、
前記照合結果に基づいて、前記認証部は、前記保持者に対する認証を行う請求項１又は請求項３に記載の認証システム。
【請求項７】
コマンドに従って動作する被制御装置がどのような動作を行うのかを示すアクション情報を格納するアクションデータベースと、
前記アクションデータベースから前記認証信号に応じた適用アクション情報を検索し、前記適用アクション情報に対応するコマンドを前記被制御装置へ送信するコマンド発信部と、
をさらに含む請求項１又は請求項３に記載の認証システム。
【手続補正２】
【補正対象書類名】明細書
【補正対象項目名】０００５
【補正方法】変更
【補正の内容】
【０００５】
上記の課題を解決するために、本発明の第１の実施態様に係る認証システムは、テラヘルツ周波数帯に固有振動周波数を有する物質が組み込まれた認証用可搬媒体に対してテラヘルツ波を照射し、スペクトルを測定して、測定結果である測定スペクトルを出力する測定部と、前記物質の固有スペクトルが記録された固有スペクトルデータベースと、前記測定スペクトルと前記固有スペクトルに基づいて、前記認証用可搬媒体に組み込まれている物質を判別し、判別結果を出力する判別部と、認証用可搬媒体に組み込まれている物質の組合せが記録された認証データベースと、前記判別結果によって前記認証用可搬媒体に組み込まれていると特定された物質の組合せが前記認証データベースに記録されている場合に、認証信号を出力する認証部と、を含む。
【手続補正３】
【補正対象書類名】明細書
【補正対象項目名】０００６
【補正方法】変更
【補正の内容】
【０００６】
本発明の第２の実施態様に係る認証用可搬媒体は、テラヘルツ周波数帯に固有振動周波数を有する物質が組み込まれたことを特徴とする。
【手続補正４】
【補正対象書類名】明細書
【補正対象項目名】０００７
【補正方法】変更
【補正の内容】
【０００７】
本発明の第３の実施態様に係る認証システムは、テラヘルツ周波数帯に固有振動周波数を有する物質が組み込まれた認証用可搬媒体に対してテラヘルツ波を二次元的に走査しながら照射し、スペクトルの二次元分布を測定して、測定結果である第１の測定スペクトル二次元分布を出力する測定部と、前記物質の固有スペクトルが記録された固有スペクトルデータベースと、前記第１の測定スペクトル二次元分布と前記固有スペクトルに基づいて、前記認証用可搬媒体に組み込まれている物質を判別し、判別結果を取得すると共に前記判別結果により特定した物質間の二次元位置関係の順列を判断し、判断結果を出力する判別部と、認証用可搬媒体に組み込まれている物質の順列が記録された認証データベースと、前記判断結果によって前記認証用可搬媒体に組み込まれていると特定された物質の順列が前記認証データベースに記録されている場合に、認証信号を出力する認証部と、を含む。
【手続補正５】
【補正対象書類名】明細書
【補正対象項目名】０００８
【補正方法】変更
【補正の内容】
【０００８】
本発明の第４の実施態様に係る認証用可搬媒体は、テラヘルツ周波数帯に固有振動周波数を有する物質が順列をもって組み込まれたことを特徴とする。
【手続補正６】
【補正対象書類名】明細書
【補正対象項目名】０００９
【補正方法】変更
【補正の内容】
【０００９】
本発明に係る認証システムにおいては、前記認証信号に応じて動作する被制御装置をさらに含んでもよい。
【手続補正７】
【補正対象書類名】明細書
【補正対象項目名】００１０
【補正方法】変更
【補正の内容】
【００１０】
本発明に係る認証システムにおいては、前記認証用可搬媒体の保持者に対してテラヘルツ波を二次元的に走査しながら照射し、スペクトルの二次元分布を測定して、測定結果である第２の測定スペクトル二次元分布を取得すると共に、前記第２の測定スペクトル二次元分布に基づいて前記保持者の携帯する物質の形状を示す二次元画像を作成するイメージング部と、前記イメージング部によって作成された前記二次元画像と照合するための照合画像を格納する画像データベースと、前記イメージング部によって作成された前記二次元画像を前記画像データベース内の前記照合画像と照合し、照合結果を出力する画像照合部と、をさらに含み、前記照合結果に基づいて、前記認証部は、前記保持者に対する認証を行ってもよい。
【手続補正８】
【補正対象書類名】明細書
【補正対象項目名】００１１
【補正方法】変更
【補正の内容】
【００１１】
本発明に係る認証システムにおいては、コマンドに従って動作する被制御装置がどのような動作を行うのかを示すアクション情報を格納するアクションデータベースと、前記アクションデータベースから前記認証信号に応じた適用アクション情報を検索し、前記適用アクション情報に対応するコマンドを前記被制御装置へ送信するコマンド発信部と、をさらに含んでもよい。